(57)【要約】      （修正有）【課題】収納容器内を仕切る仕切部の奥側に引き出し式の扉に連動された収納容器の十分な引き出し量の確保と引き出し用レールの変形を抑えた収納庫を提供する。【解決手段】収納容器を備えた収納室を構成する庫本体と、前記収納容器を取着可能な支持フレーム３７を備え、前記収納室を開閉可能にする引き出し式の扉２４と、前記支持フレームに取着した係合部と、前記庫本体に取着するとともに、前記扉の引き出しに伴い前記係合部と係合して前記収納容器を前後方向に出し入れするレール部を形成したレール部材３４とを備え、前記レール部材の上部であって、前記係合部との係合を解除し、前記レール部から前記扉を取り外し可能とする切欠き部３３ｃと、を備えた。【選択図】図３
2015232414.tif 000002
【特許請求の範囲】
【請求項１】
収納容器を備えた収納室を構成する庫本体と、
前記収納容器を取着可能な支持フレームを備え、前記収納室を開閉可能にする引き出し式の扉と、
前記支持フレームに取着した係合部と、
前記庫本体に取着するとともに、前記扉の引き出しに伴い前記係合部と係合して前記収納容器を前後方向に出し入れするレール部を形成したレール部材とを備え、
前記レール部材の上部であって、前記係合部との係合を解除し、前記レール部から前記扉を取り外し可能とする切欠き部と、を備えた収納庫。
【請求項２】
前記切欠き部は、少なくとも前記収納容器の出し入れ方向の中間部より奥側に形成した、請求項１記載の収納庫。
【請求項３】
前記係合部と前記切欠き部との上下方向の位置が一致したことを確認できる位置合わせ手段を備えた、請求項１または２記載の収納庫。
【請求項４】
前記支持フレームの下側の奥側に前記レール部材上を摺動する摺動部と、前記仕切部上に形成し前記支持フレームを摺動するフレーム受け部とを備えた、請求項１乃至３の何れか一項記載の収納庫。
【請求項５】
前記フレーム受け部は、前記摺動部材が前記レール部材上の摺動時に、前記摺動部材と当接する位置関係にある、請求項４記載の収納庫。
【請求項６】
記係合部と前記レール部との係合は、前記収納容器を取り外した場合に解かれるようにした、請求項１乃至５の何れか一項記載の収納庫。
【発明の詳細な説明】
【技術分野】
【０００１】
この発明の実施形態は収納庫に関する。
【背景技術】
【０００２】
従来、冷蔵庫にあっては、冷蔵室、野菜室、製氷室、小冷凍室、および大冷凍室等の貯蔵室を備えている。これらのうち、野菜室と、製氷室、小冷凍室、および大冷凍室は、内部に貯蔵容器を備えている。その貯蔵容器が貯蔵品を収容した状態では、それぞれ前面の扉とともに名室から引き出されるようになっている。このため、各室にはそれぞれ両側面部にレールが設けられており、各貯蔵容器はその各レールに沿って引き出されるようになっている。
【０００３】
しかしながら、扉側レール上部に貯蔵容器を取り出すための切欠き部が形成されている。扉開閉時の摺動部分には、レールの切欠き部手前で停止させる必要から、扉の引き出量に制限を与える要因となっていた。特に、庫本体内の仕切部の奥側にレールがある場合は、仕切部に奥行きがあるため、従来のレール形状では十分な引き出量が確保できなくなる、という課題があった。
【０００４】
また、扉側のレール部分に切欠きがあることで、引き出した状態で収納室がレールに力を与えるときに、レールが変形し、扉の位置が下がってしまう、という品質上の課題もあった。
【先行技術文献】
【特許文献】
【０００５】
【特許文献１】特開２００４−２０１６２号公報
【発明の概要】
【発明が解決しようとする課題】
【０００６】
この発明が解決しようとする課題は、収納容器内を仕切る仕切部の奥側に引き出し式の扉に連動された収納容器の十分な引き出し量の確保と引き出し用レールの変形を抑えた収納庫を提供することにある。
【課題を解決するための手段】
【０００７】
実施形態の収納庫は、収納容器を備えた収納室を構成する庫本体と、前記収納容器を取着可能な支持フレームを備え、前記収納室を開閉可能にする引き出し式の扉と、前記支持フレームに取着した係合部と、前記庫本体に取着するとともに、前記扉の引き出しに伴い前記係合部と係合して前記収納容器を前後方向に出し入れするレール部を形成したレール部材とを備え、前記レール部材の上部であって、前記係合部との係合を解除し、前記レール部から前記扉を取り外し可能とする切欠き部と、を備えた。
【図面の簡単な説明】
【０００８】
【図１】収納庫にかかる第１の実施形態を示す冷蔵庫全体の概略的に示す斜視図である。
【図２】第１の実施形態の主要部の縦断面図である。
【図３】第２の実施形態の主要部の縦断正面図である。
【図４】第１の実施形態の主要部斜視図である。
【図５】第１の実施形態の主要部斜視図である。
【図６】第１の実施形態の主要部斜視図である。
【図７】第１の実施形態の主要部分解斜視図である。
【図８】第１の実施形態の主要部分解斜視図である。
【図９Ａ】第１の実施形態の扉引き出し前の状態を示す図である。
【図９Ｂ】第１の実施形態の扉引き出し後の状態を示す図である。
【図１０Ａ】第１の実施形態の扉取り出し前の状態を示す図である。
【図１０Ｂ】第１の実施形態の扉取り出し後の状態を示す図である。
【図１１Ａ】第２の実施形態について説明するための図である。
【図１１Ｂ】第２の実施形態について説明するための図である。
【図１１Ｃ】第２の実施形態について説明するための図である。
【図１２】第３の実施形態について説明するための図である。
【図１３】図１２の要部斜視図である。
【発明を実施するための形態】
【０００９】
以下、この発明を実施するための形態について、図面を参照しながら詳細に説明する。なお、以下で説明する図面で、同一機能を有するものは同一符号を付け、その繰り返す説明は省略する。
【００１０】
（第１の実施形態）
図１は、収納庫に関する第１の実施形態について説明するための冷蔵庫全体の構成を概略的に示す斜視図である。図２は、図１主要部の縦断面図である。
【００１１】
図１において、冷蔵庫の全容を示している。縦長箱状の庫本体１１は、内部に、上方より順に、冷蔵室１２，野菜室１３，製氷室１４並びに小冷凍室１５（図２参照）、大冷凍室１６を備えている。冷蔵室１２、野菜室１３、製氷室１４、小冷凍室１５、大冷凍室１６は、貯蔵室である。これら室１２〜１６のうち、冷蔵室１２の内部には、棚１７が複数段に設けられている。その他の室１３〜１６の内部には、それぞれ貯蔵容器１８〜２１（貯蔵容器２０は図２参照）が設けられている。
【００１２】
庫本体１１の手前には、室１２〜１６の各貯蔵品出入口である前面の開口部をそれぞれに封止するための扉２２〜２６を備えている。これらの扉２２〜２６のうち、冷蔵室扉２２は開き戸式扉である。その他の扉２３〜２６は、上記各貯蔵容器１８〜２１とともに、各室１３〜１６からそれぞれに引き出される引き出し式扉である。また、庫本体１１と各扉２２〜２６は、いずれも断熱壁で構成される。
【００１３】
図２は、製氷室１４と小冷凍室１５を主に示している。製氷室１４と小冷凍室１５は、左右の横並びの状態で配置されている。製氷室１４および小冷凍室１５の両前面の開口部と大冷凍室１６の前面の開口部との間は、前仕切部２７で仕切られている。前仕切部２７は、庫本体１１の左右の両側壁間にわたるもので、製氷室１４の前面の開口部と大冷凍室１６の前面の開口部との間の部分を示している。
【００１４】
また、製氷室１４および小冷凍室１５との間は、横仕切部２８により仕切られている。横仕切部２８は、製氷室１４および小冷凍室１５と野菜室１３との間を仕切る仕切部２９から下方に延びた下端が自由端とされる。そして、横仕切部２８の下方であって、且つ前仕切部２７の裏側（陰の部分）に位置する部位には、レール部材３０が組み付けられている。
【００１５】
レール部材３０は、断熱材である例えばプラスチックにより型成形したものである。図４に示すように、前後に長い四角柱の梁状を成し、前仕切部２７の裏面から製氷室１４および小冷凍室１５との間の奥行全長にわたって組み付けられている。また、このレール部材３０の幅は、図２に示すように、横仕切部２８の厚みより大きく形成されている。レール部材３０の両側には、前仕切部２７の裏側に位置してレール部３１，３２が、レール部材３０の全長にわたり溝状にそれぞれ形成されている。
【００１６】
製氷室１４側のレール部３１は、断面コ字形に形成されている。小冷凍室１５側のレール部３２は、断面逆コ字形に形成されている。また、製氷室１４側の庫本体１１の内壁面部には、レール部３１に対向して、図５に示す断面逆コ字形のレール部３３を形成した対向レール部材３４が組み付けられている。このようにして、レール部３１と対向する内壁面部にレール部３３が構成される。
【００１７】
また、小冷凍室１５側の庫本体１１の内壁面部には、レール部３２に対向して、図６に示す断面コ字形のレール部３５を形成した対向レール部材３６が組み付けられている。このようにして、レール部３２と対向する内壁面部にレール部３５が構成される。
【００１８】
レール部３３は、前仕切部２７の裏側に配置されている。レール部３５は、前仕切部２７の裏側に配置されている。レール部３３，３５は、レール部３１，３２と同じ高さで、前仕切部２７の裏面から製氷室１４および小冷凍室１５のほぼ最奥部まで達する長さで設けられている（図３参照）。
【００１９】
図４に示すように、レール部３１の前端部３１ａは、レール部材３０の長手方向の一端面３０ａ近傍まで形成されている。レール部３１の後端部３１ｂは、レール部材３０の長手方向の他端面３０ｂ近傍まで形成されている。レール部３２の前端部３２ａは、レール部材３０の長手方向の一端面３０ａ近傍まで形成されている。レール部３２の他端３２ｂは、レール部材３０の長手方向の他端面３０ｂ近傍まで形成されている。
【００２０】
図５に示すように、レール部３３の前端部３３ａは、レール部材３４の長手方向の一端面３４ａ近傍まで形成されている。レール部３３の後端部３３ｂは、レール部材３４の長手方向の他端面３４ｂ近傍まで形成されている。
【００２１】
図６に示すように、レール部３５の前端部３５ａは、レール部材３６の長手方向の一端面３６ａ近傍まで形成されている。レール部３５の後端部３５ｂは、レール部材３６の長手方向の他端面３６ｂ近傍まで形成されている。
【００２２】
組み付けられた状態で対向関係にあるレール部３１とレール部３３は、対称的な形状に形成されている。組み付けられた状態で対向関係にあるレール部３２とレール部３５は、対称的な形状に形成されている。
【００２３】
レール部３１の後端部３１ｂ側の上部は、レール部３１の幅よりやや大きい幅の切欠き部３１ｃが形成されている。レール部３２の後端部３２ｂ側の上部は、レール部３２の幅よりやや大きい幅の切欠き部３２ｃが形成されている。レール部３３の後端部３３ｂ側の上部は、レール部３３の幅よりやや大きい幅の切欠き部３３ｃが形成されている。レール部３５の後端部３５ｂ側の上部は、レール部３５の幅よりやや大きい幅の切欠き部３５ｃが形成されている。
【００２４】
図７は、製氷室貯蔵容器１９と、製氷室貯蔵容器１９用の支持フレーム３７、および製氷室扉２４を示す。
【００２５】
製氷室貯蔵容器１９は、ほぼ直方体状の箱形で、例えばプラスチックの成型品で形成されている。また、支持フレーム３７は、製氷室貯蔵容器１９の外形とほぼ同等の大きさの平面コ字形で、例えば鋼板やプラスチックなどの成型品を組み立てて構成されている。この支持フレーム３７の左右両側部の後部から下方には、摺動部材としての脚部３８が設けられている。支持フレーム３７の左右両側部の前部から内側には、扉取付部３９が設けられている。
【００２６】
図８は、小冷凍室貯蔵容器２０と、小冷凍室貯蔵容器２０用の支持フレーム４０、および小冷凍室扉２５を示す。
【００２７】
小冷凍室貯蔵容器２０は、ほぼ直方体状の箱形で、例えばプラスチックの成型品で形成されている。また、支持フレーム４０は、小冷凍室貯蔵容器２０の外形とほぼ同等の大きさの平面コ字形で、例えば鋼板やプラスチック成型品で構成されている。この支持フレーム４０の左右両側部の後部から下方には、脚部４１が設けられている。支持フレーム４０の左右両側部の前部から内側には、扉取付部４２が設けられている。
【００２８】
この構成で、支持フレーム３７には、製氷室貯蔵容器１９が載置され、扉取付部３９に製氷室扉２４が取り付けられている。また、支持フレーム４０には、小冷凍室貯蔵容器２０が載置され、扉取付部４２に小冷凍室扉２５が取り付けられている。
【００２９】
その上で、図２、図３に示すように、支持フレーム３７の脚部３８は、レール部３３とレール部３１とに挿入されている。支持フレーム４０の脚部４１は、レール部３５とレール部３２とに挿入されている。また、フレーム受け部４３は、製氷室１４側で前仕切部２７の上面に突設して形成されている。フレーム受け部４３は、支持フレーム３７の左右両側部を摺動自在に受けるようにしている。同様に小冷凍室１５側で前仕切部２７の上面に突設した図示しないフレーム受けで支持フレーム４０の左右両側部を受けるようにしている。
【００３０】
図７に示すように、平行する支持フレーム３７の下方の脚部３８近傍には、摺動部４４が取着されている。摺動部４４は、支持フレーム３７の一部を突設させて形成してもよいし、例えば硬質の合成樹脂による成形品を取着してもよい。摺動部４４は、脚部３８がレール部３１，３３を移動可能な状態で、レール部材３０の上面３０ｃ上を摺動して製氷室扉２４が前後方向にスムーズに移動可能になるように構成している。
【００３１】
また、図８に示すように、平行する支持フレーム４０の下方の脚部３８近傍には、摺動部４５が取着されている。摺動部４５は、支持フレーム３７の一部を突設させて形成してもよいし、例えば硬質の合成樹脂による成形品を取着してよい。摺動部４５は、脚部４１がレール部３１，３３を移動可能な状態で、レール部材３０の上面３０ｃ上とレール部材３６の上面３６ｃ上を摺動して小冷凍室扉２５が前後方向にスムーズに移動可能になるように構成している。
【００３２】
このように構成された製氷室貯蔵容器１９の、まず引き出しについて図９Ａ，図９Ｂを参照して説明する。
【００３３】
まず、図９Ａにおいて、製氷室扉２４を、矢印Ａ方向に庫本体１１から引き出す。すると、製氷室扉２４の引き出しにともない、脚部３８はレール部３３，３１を摺動する。同時に摺動部４４は、レール部材３４の上面３４ｃとレール部材３０の上面３０ｃ上を、それに支持フレーム３７は、フレーム受け部４３上を摺動する。
【００３４】
これにより、製氷室貯蔵容器１９は、図９Ｂの状態に製氷室１４から手前に引き出すことができる。
【００３５】
次に、製氷室貯蔵容器１９の取り外しについて、図１０Ａ、図１０Ｂを参照して説明する。
【００３６】
まず、図１０Ａにおいて、製氷室扉２４を、下方の手前側を支点にして上方が手前に傾くようにして製氷室１４全体を、矢印Ａ１方向に回動する。この回動に伴い脚部３８は、切欠き部３１ｃ，３３ｃを通ってレール部３１，３３の位置から上方に抜け出す。
【００３７】
その後、脚部３８は、矢印Ａ２方向に製氷室扉２４を引き出すことにより、レール部３３，３１上を摺動可能となる。さらに製氷室扉２４を引き出すと脚部３８は、前仕切部２７上面に設けたフレーム受け部４３に当接する。この当接の感触で製氷室扉２４が庫本体１１から外れる手前にあることを認識することができる。
【００３８】
このようにして製氷室扉２４は、製氷室貯蔵容器１９とともに図１０Ｂの状態に製氷室１４から手前に引き出すことができる。図１０Ｂの状態にある製氷室扉２４は、さらに引き出すことにより、庫本体１１から分離して取り外すことができる。
【００３９】
取り出された製氷室扉２４は、図１０Ａから図１０Ｂの説明と逆の動作を行うことにより、庫本体１１に収容することができる。すなわち、脚部３８を前仕切部２７の上面に乗せた状態で図１０Ａ矢印Ａとは逆方向に製氷室扉２４を押し込む。すると、脚部３８は、レール部材３４の上面３４ｃ上とレール部材３０の上面３０ｃ上を摺動しながら移動する。脚部３８は、切欠き部３３ｃ，３１ｃに到達したところで、レール部３３，３１に位置する図９Ａの状態となる。
【００４０】
ところで、製氷室扉２４の取り出し用の切欠き部３３ｃ，３１ｃは、レール部３１，３３の終端の位置である後端部３３ｂ，３１ｂの位置に形成されている。このため、製氷室扉２４が引き出された図９Ｂに示す状態では、レール部３３，３１の上方に切欠き部は形成されていない。このため、支持フレーム３７に取着された脚部３８は、レール部３３，３１から外れることはない。
【００４１】
切欠き部３３ｃ，３１ｃは、後端部３３ｂ，３１ｂ側に形成されているため、図９Ｂに示すように、脚部３８を前端部３３ａ，３１ａまで移動させることが可能となる。脚部３８の前端部３３ａ，３１ａまでの移動の間隔Ｌは、レール部材３４，３０のほぼ全長にわたって確保することができる（図９Ａ参照）。従って、製氷室貯蔵容器１９は、その開放間隔を大きくすることができ、製氷室貯蔵容器１９に収容された物品の出し入れをしやすくすることができる。
【００４２】
なお、通常の開け閉め動作では、製氷室扉２４が図１０Ａの矢印Ａ１方向に回動することはない。すなわち、脚部３８が切欠き部３１ｃ，３３ｃの上下方向に重なる位置に位置している場合でも、製氷室貯蔵容器１９を含む製氷室扉２４全体はほぼ均一に重力に引かれる力を受けるため、回動するおそれは無く、脚部３８はレール部３１，３３の下面に接触する状態を維持する。このため、脚部３８は、切欠き部３１ｃ，３３ｃの位置でも円滑に移動可能となる。
【００４３】
上述した実施形態によると次のような作用効果を得る。
【００４４】
脚部がレール部の端に来るまで扉を開いてもレール部から外れることがないため、扉の引き出量を長く設定できる。また、扉を引き出した脚部の位置には、引き出したことによる摺動部分や脚部がレール部に力を与えても、近傍に切欠き部がないことから、レール部の変形を抑えることができる。
【００４５】
この実施形態では、扉の開放間隔を広げることができるため、貯蔵容器への物品の出し入れが容易なものとなる。また、扉を開く動作に移った以降は、レール部に切れ目がいなことからスムーズな開閉動作の実現が可能となる。
【００４６】
また、扉を閉塞した状態で、扉を取り外さない通常の引き出し動作を行うか、扉を取り外す引き出し動作を行うかを選択できる。このため、扉を取り外す際には、扉を長時間開放状態にすることなくスムーズに取り外しを行うことができ、貯蔵品への熱の影響を低減することができる。
【００４７】
（第２の実施形態）
図１１Ａ〜図１１Ｃは、収納庫に関する第２実施形態について説明するため図である。
【００４８】
この実施形態は、レール部３１の後端部３１ｂよりも幅ｄだけ前端部３１ａ側に切欠き部３１ｃが形成されている。また、切欠き部３３ｃは、レール部３３の後端部３３ｂよりも幅ｄだけ前端部３３ａ側に形成されている。さらに、切欠き部３１ｃ，３３ｃと脚部３８が取り出せる位置にあることがわかるように、例えばフレーム受け部４３に係合する位置合わせ部４６が形成されている。フレーム受け部４３と位置合わせ部４６は、位置合わせ手段として構成している。
【００４９】
なお、幅ｄは、貯蔵物が製氷室扉２４側に重い状態で貯蔵された場合、摺動中に切欠き部３３ｃ，３５ｃから脚部３８が外れる可能性がある。そこで、幅ｄとしては、製氷室貯蔵容器１９の出入り方向の中間部より後端部３１ｂ，３３ｂ側とした。これにより、製氷室貯蔵容器１９に貯蔵される貯蔵物の重量バランスに伴う脚部３８がレール部３１，３３から離脱することを抑えることができる。
【００５０】
この実施形態での製氷室貯蔵容器１９の取り出しについて説明する。まず、図１１Ａに示すように、製氷室扉２４を、位置合わせ部４６がフレーム受け部４３に係合する位置まで手前に引く。位置合わせ部４６とフレーム受け部４３との係合は、脚部３８が切欠き部３１ｃ，３３ｃと上下方向で一致したこと、すなわち、その位置であれば、製氷室扉２４を取り外すことが可能であることを意味する。この状態から製氷室扉２４を、図１１Ｂに示す矢印Ａ２方向に回動する。
【００５１】
次に、製氷室扉２４を、図１１Ｂ矢印Ａ３方向に引いた後に、矢印Ａ４方向に持ち上げる。すると、脚部３８は、切欠き部３１ｃ，３３ｃよりも手前であってレール部材３０の上面３０ｃ上とレール部材３４の上面３４ｃ上に位置する。さらに製氷室扉２４を引くと、脚部３８は上面３０ｃ，３４ｃ上を摺動し、図１１Ｃの状態となる。
【００５２】
これにより、図１１Ｃの状態にある製氷室扉２４は、製氷室１４から前方に引き出すことができる。製氷室扉２４は、さらに引き出すことにより、庫本体１１から分離することができる。
【００５３】
取り出された製氷室扉２４は、図１１Ａから図１１Ｃの説明と逆の動作を行うことにより、庫本体１１に収容することができる。すなわち、脚部３８を前仕切部２７の上面に乗せた状態で図１１Ｂ矢印Ａ３とは逆方向に製氷室扉２４に押し込む。すると、脚部３８は、レール部材３０の上面３０ｃ上とレール部材３４の上面３４ｃ上を摺動しながら移動する。脚部３８は、切欠き部３１ｃ，３３ｃに到達したところで、レール部３１，３３に位置する図１１Ａの状態となる。
【００５４】
この実施形態では、幅ｄだけ前端部３１ａ側に切欠き部３１ｃを形成したことから、図１１Ｂの矢印Ａ２に回動するときに下側に位置する扉２６が邪魔にならない。このため製氷室扉２４と扉２６を必要以上に離す必要がなく、デザイン性の面での不利を解消することができる。
【００５５】
引き出し式扉２３，２６は、製氷室扉２４、小冷凍室扉２５の貯蔵容器に比して容量が大きい。第２の実施形態は、少し手前に扉を引き出した状態で取り出す動作を行うようにした。その分、回動させる支点は、貯蔵容器の出し入れ方向の中心側に近づくことになる。この実施形態は、製氷室扉２４、小冷凍室扉２５などの大きな容量の貯蔵容器への適用性がより優れたものとなる。
【００５６】
（第３の実施形態）
図１２、図１３は、収納庫に関する第２実施形態について説明するための図である。図１３は、図１２の要部斜視図である。
【００５７】
製氷室貯蔵容器１９の側方には、支持フレーム１２１が形成されている。支持フレーム１２１には、ストッパー１２２が形成されている。ストッパー１２２は、切欠き部３１ｃ，３３ｃと脚部３８が一致する位置で製氷室貯蔵容器１９の上面と対向する位置に形成されている。ストッパー１２２と製氷室貯蔵容器１９の上面との間隔は、脚部３８が切欠き部３１ｃ，３３ｃから抜け出ることを防止できればよい。
【００５８】
すなわち、製氷室貯蔵容器１９の上面１９１およびストッパー１２２の間隔Ｓ１と、レール部３３の下面３３１およびレール部材３４の上面３４ｃの間隔Ｓ２は、Ｓ１＜Ｓ２とした。そして、切欠き部３１ｃ，３３ｃと脚部３８が一致した位置では、脚部３８が切欠き部３１ｃ，３３ｃを抜け出る動きに対して、製氷室貯蔵容器１９の上面１９１がストッパー１２２に当たり、抜け出る動きを阻止できる。切欠き部３１ｃ，３３ｃと脚部３８が一致しない位置での脚部３８は、レール部３３との係合関係を維持する。
【００５９】
このように、製氷室貯蔵容器１９が支持フレーム１２１に取着されている状態での脚部３８は、レール部３３から抜け出ることはない。製氷室扉２４は、製氷室貯蔵容器１９が取り外されて初めて取り外しが可能となる。
【００６０】
なお、図１２での切欠き部３１ｃ，３３ｃの位置は、第１の実施形態としたが、第２の実施形態としてもよい。第２の実施形態の切欠き部３１ｃ，３３ｃの場合のストッパー１２２の設置場所は、図１２よりも製氷室扉２４側となる。
【００６１】
なお、支持フレーム１２１およびストッパー１２２の位置は製氷室貯蔵容器１９の側方には限られず、製氷室貯蔵容器１９の後方に備える、あるいは、製氷室１４の天井面から製氷室１４側である下方に膨出する凸部を設けるなどしてストッパー機能を備えても良い。
【００６２】
この実施形態では、収納容器を外さない状態での扉の取り外しができないようにした。これにより扉が不用意に外れてしまうことによる商品落下を防止することが可能となる。
【００６３】
上記した各実施形態にのみ限定されるものではない。特にレール部材３０は一本の梁状でなく、左右で分割形成したものを合わせて一本の梁状に構成するものであってもよい。また、レール部３１〜３３，３５は、レール部材３０並びに対向レール部材３４，３６にそれぞれ別の金属性等のレールを取り付けて設けていてもよい。
【００６４】
さらに、横仕切部２８が庫本体１１と別体で該庫本体１１に組み付けられるものであれば、レール部材３０はその横仕切部２８と一体的に設けてもよい。
【００６５】
また、各実施形態では、製氷室扉２４の取り出しについて説明した。同構成の小冷凍室扉２５は、製氷室扉２４と同じような取り出しが可能である。
【００６６】
脚部３８は、レール部３１〜３３，３５上を摺動させる摺動部材である。脚部３８は、例えば上記特開２００４−２０１６２号公報の図３に示すような可動ローラを用いてもよい。この場合は、可動ローラの作用によりレール部３１〜３３，３５の移動性の向上を図ることができるばかりか、可動ローラの作用により切欠き部３１ｃ〜３３ｃ，３５ｃから可動ローラの取り出しも向上する。
【００６７】
また、上記実施形態では冷蔵庫の引き出し式の扉を例に挙げたが、引き出し式の扉であって通常の出し入れでは、本体から取り出せないが、扉とともに引き出しを傾けた場合は本体から外すことのできる構造のものであれば適用可能である。例えば、その引き出しが所定方向に傾けた場合のみ本体から取り出せる机やテーブルなどの引き出しが考えられる。この場合においてもこれまでよりも、より手前まで引き出しを引き出すことができることから、引き出しの中身の確認がしやすいものとなる。
【００６８】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００６９】
１１  庫本体
１４  製氷室
１５  小冷凍室
１６  大冷凍室
１９  製氷室貯蔵容器
２０  小冷凍室貯蔵容器
２４  製氷室扉
２５  小冷凍室扉
２３，２６  引き出し式の扉
２７  前仕切部
２８  横仕切部
２９  仕切部
３０，３４，３６  レール部材
３０ａ，３４ａ，３６ａ  一端面
３０ｂ，３４ｂ，３６ｂ  他端面
３０ｃ，３４ｃ，３６ｃ  上面
３１，３２，３３，３５  レール部
３１ａ，３２ａ、３３ａ，３５ａ  前端部
３１ｂ，３２ｂ、３３ｂ，３５ｂ  前端部
３１ｃ，３２ｃ、３３ｃ，３５ｃ  切欠き部
３７，４０  支持フレーム
３８．４１  脚部（係合部）
３９，４２  扉取付部
４３  フレーム受け部
４４，４５  摺動部
４６  位置合わせ部
１２１  支持フレーム
１２２  ストッパー
【図１】
2015232414.tif 000003
【図２】
2015232414.tif 000004
【図３】
2015232414.tif 000005
【図４】
2015232414.tif 000006
【図５】
2015232414.tif 000007
【図６】
2015232414.tif 000008
【図７】
2015232414.tif 000009
【図８】
2015232414.tif 000010
【図９Ａ】
2015232414.tif 000011
【図９Ｂ】
2015232414.tif 000012
【図１０Ａ】
2015232414.tif 000013
【図１０Ｂ】
2015232414.tif 000014
【図１１Ａ】
2015232414.tif 000015
【図１１Ｂ】
2015232414.tif 000016
【図１１Ｃ】
2015232414.tif 000017
【図１２】
2015232414.tif 000018
【図１３】
2015232414.tif 000019